(57)【要約】  【課題】  閉鎖弁固定構造として、専用部材や特別な係合手段を不要としつつ、筐体を構成する支柱の強度を補強でき、かつ、閉鎖弁や電装品箱などのメンテナンスを容易に行なうことができること。    【解決手段】  空気調和機の室外機であって、底板１０を備えた筐体内に、底板１０とボックス２１とで取り囲んで圧縮機を収容する圧縮機室を設け、底板１０上の前面両側部に立設される支柱のうちの一方を後方にずらせ、この後方にずらせた支柱４ａと、ボックス２１を構成している背面側ボックス２２の左側板２２ａとの間に、ガス側閉鎖弁３ｄおよび液側閉鎖弁３ｅを固定する閉鎖弁固定具２４を掛け渡すように設けた。この閉鎖弁固定具２４は、底板１０の前面と平行に掛け渡され、閉鎖弁固定具２４の下方および前方に空間を形成するようにした。  【選択図】  図６
2009109047.tif 000002
【特許請求の範囲】
【請求項１】
底板を備えた筐体内に、前記底板とボックスとで取り囲んで圧縮機を収容する圧縮機室を設けた空気調和機の室外機において、
前記底板上の前面両側部に立設される支柱のうちの一方を後方にずらせ、後方にずらせた支柱と前記ボックスの側板との間に、閉鎖弁を固定する閉鎖弁固定具を設けたことを特徴とする空気調和機の室外機。
【請求項２】
前記閉鎖弁固定具は、前記底板の前面と平行に掛け渡され、前記閉鎖弁固定具の下方および前方に空間を形成したことを特徴とする請求項１記載の空気調和機の室外機。
【請求項３】
前記閉鎖弁固定具は、前記後方にずらせた支柱のフランジと、前記ボックスの側板に備えたフランジとの間に、前記閉鎖弁固定具の左右端部において締結部材により固定したことを特徴とする請求項２記載の空気調和機の室外機。
【発明の詳細な説明】
【技術分野】
【０００１】
本発明は、空気調和機の室外機に係り、より詳細には、閉鎖弁固定具を備えた空気調和機の室外機に関する。
【背景技術】
【０００２】
従来から、ビルや一般住宅等の建物に設置される空気調和機は、例えば、屋上に室外機を、各フロアの天井に室内機を配置し、室外機と室内機とを冷媒配管で接続するものが普及しており、この室外機の筐体内には、室内機からの冷媒配管に接続される閉鎖弁が閉鎖弁固定具に固定されている。
【０００３】
このような閉鎖弁固定具を備える空気調和機の室外機としては、筐体の底フレーム上に立設する左側基部及び右側基部と、左側基部と右側基部の上端付近を橋渡す閉鎖弁固定具とを有する構造などが知られている（特許文献１参照。）。
【０００４】
従来の空気調和機の室外機は、図８に示すように、筐体は左側面板１００、右側面板１１０、背面板１２０などを備え、左側面板１００は支柱１３０および支柱１４０に、右側面板１１０は支柱１５０および支柱１６０に、それぞれ一体に成形されている。左側面板１００と右側面板１１０には、筐体内に空気を取込むための開口１７０を有し、吸込口を形成している。背面板１２０は支柱１３０および支柱１６０の外側に、図示が省略されている正面板は支柱１４０および支柱１５０の外側に、それぞれ装着されている。４本の支柱１３０〜１６０は、下端付近の底フレーム１８０や上部の横ステー１９０およびモータ支持台２００によって互いに連結されている。モータ支持台２００には、室外ファンを駆動するモータ２１０が据付けられている。図示が省略されている天板は、その外周縁部が支柱１３０〜１６０の上端、あるいは、左側面板１００、右側面板１１０や背面板１２０の上端に固定され、筐体外に空気を吹出すための吹出口を形成している。正面板の裏、すなわち、筐体の４つの角部に設けられた支柱１３０〜１６０の内側には、空気調和機の動作を制御する制御基板を内部に備えるスイッチボックス２２０（電装品箱）が配置されている。
【０００５】
支柱１３０〜１６０に連結している底フレーム１８０は、図９に示すように、圧縮機２３０や室外熱交換器２４０などを支持し、かつ、閉鎖弁固定構造２５０を介して、互いに隣接して並べられるガス側閉鎖弁２６０及び液側閉鎖弁２７０を固定している。ガス側閉鎖弁２６０及び液側閉鎖弁２７０は正面板および左側面板１００に対し、概ね４５°の角度に固定されている。これは、冷媒配管の接続は前述の２閉鎖弁方式だけでなく３閉鎖弁方式やチェックポートもくることで広がってしまうため、４５°の角度にするなどして収めている。
【０００６】
そして、ガス側閉鎖弁２６０および液側閉鎖弁２７０を固定している閉鎖弁固定構造２５０は、図１０に示すように、筐体の底フレーム１８０上に間隔をあけて立設する右側基部２８０および左側基部２９０と、右側基部２８０と左側基部２９０の上端付近を水平に橋渡しする閉鎖弁固定具３００とからなっている。右側基部２８０、左側基部２９０および閉鎖弁固定具３００は、互いにネジなどによって固定されている。右側基部２８０と左側基部２９０は、底フレーム１８０の膨出部１８０ａと係合するように位置合わせされ、底フレーム１８０の領域１８０ｂ上に立設されている。
【０００７】
以上のことから、特許文献１による閉鎖弁固定構造２５０によれば、ガス側閉鎖弁２６０および液側閉鎖弁２７０の下方に開放空間を形成し、ガス側閉鎖弁２６０および液側閉鎖弁２７０と冷媒配管との接合作業の作業性を向上できる他、閉鎖弁固定構造２５０の周囲に存在する配管などの他の部材に関する作業性も向上できるようになっている。また、閉鎖弁固定構造２５０は門型の構造になっており、全体として強度を高められるようになっている。
【０００８】
しかしながら、この閉鎖弁固定構造２５０では、右側基部２８０と左側基部２９０とが底フレーム１８０上に係合するように立設されているので、閉鎖弁を固定するための右側基部２８０および左側基部２９０である専用部材が必要となってしまい、材料費の増加につながって、コストアップになってしまう。また、底フレーム１８０上に係合するように立設するために、右側基部２８０および左側基部２９０と、底フレーム１８０とに係合する構造が必要となってしまい、閉鎖弁固定構造２５０が複雑になってしまう。更に、スイッチボックス２２０（電装品箱）が筐体の４つの角部に設けられた支柱１３０〜１６０の中にあるので、電装品箱のメンテナンス時、左側面板１００または右側面板１１０といった側面方向に電装品箱をずらして引出す場合に、支柱１４０または支柱１５０が邪魔になってしまい、電装品箱のメンテナンスの容易性が考慮されていない。なお、電装品箱を側面方向にずらして引出せるようにするには、例えば、支柱１４０を邪魔にならない位置にずらすことが考えられる。しかし、支柱１４０の位置をずらすと、支柱１４０の強度が低下し、筐体自体の強度低下につながってしまう。
【０００９】
これらの問題点のうち、閉鎖弁を固定するための専用部材が必要となり、底フレーム１８０上に係合するような構造が必要となってしまう問題点を解決している従来の空気調和機の室外機としては、閉鎖弁固定具が筐体の仕切板と右側板との間に水平に橋渡しするように固定された構造などが知られている（特許文献２参照。）。
【００１０】
この従来の空気調和機の室外機は、図１１および図１２に示すように、筐体３１０は仕切板３７０により送風機室Ｓ１と機械室Ｓ２とに分割され、送風機室Ｓ１は、底板３２０と、天板３３０と、左前板３４０と、仕切板３７０とによって囲まれた空間で、室外ファン３８０、室外熱交換器３９０などが配置されている。機械室Ｓ２は、底板３２０と、天板３３０と、右前板３５０と、右側板３６０と、仕切板３７０とによって囲まれた空間で、圧縮機４００、液側閉鎖弁４１０、ガス側閉鎖弁４２０などが配置されている。そして、右前板３５０は、圧縮機４００、液側閉鎖弁４１０、ガス側閉鎖弁４２０などのメンテナンスなどの現地作業を行う際に取外し可能になっている。
【００１１】
そして、室内機からの冷媒配管が接続される液側閉鎖弁４１０およびガス側閉鎖弁４２０は、機械室Ｓ２の前部の右前板３５０に対向する位置に配置され、仕切板３７０の前端部と右側板３６０の前端部との間に橋渡しするように設けた閉鎖弁固定具４３０に支持されている。閉鎖弁固定具４３０の左端部は、仕切板３７０の前端部とともに左前板３４０の右端部にネジ等により固定され、閉鎖弁固定具４３０の右端部は、右側板３６０の前端部にネジ等により固定されている。閉鎖弁固定具４３０の右端部は、閉鎖弁固定具４３０の左端部よりも後側に位置し、閉鎖弁固定具４３０が斜め後方の向きに配置され、液側閉鎖弁４１０およびガス側閉鎖弁４２０が筐体３１０の内部に納まるようになっている。
【００１２】
しかしながら、特許文献２による閉鎖弁固定構造では、閉鎖弁固定具４３０が斜め後方向きに配置されているので、室外機を設置する場所によっては、液側閉鎖弁４１０やガス側閉鎖弁４２０に接続される冷媒配管などの接合作業や、液側閉鎖弁４１０やガス側閉鎖弁４２０などのメンテナンスなどの現地作業を行う際に、右前板３５０を取外したとしても、斜め方向からの作業性が悪くなってしまう。
【特許文献１】特開２００７−１４７２４７号公報（第７頁−第９頁、第３図、第４図、第７図）
【特許文献２】特開２００７−１２０９００号公報（第４頁−第７頁、第１図、第２図）
【発明の開示】
【発明が解決しようとする課題】
【００１３】
本発明は上記問題点に鑑み、閉鎖弁固定構造として、専用部材や特別な係合手段を不要としつつ、筐体を構成する支柱の強度を補強でき、かつ、閉鎖弁や電装品箱などのメンテナンスを容易に行なうことができるようにした空気調和機の室外機を提供することを目的とする。
【課題を解決するための手段】
【００１４】
本発明は上記課題を解決するため、請求項１記載の発明は、底板を備えた筐体内に、前記底板とボックスとで取り囲んで圧縮機を収容する圧縮機室を設けた空気調和機の室外機において、前記底板上の前面両側部に立設される支柱のうちの一方を後方にずらせ、後方にずらせた支柱と前記ボックスの側板との間に、閉鎖弁を固定する閉鎖弁固定具を設けたことを特徴とする構成となっている。
【００１５】
請求項２記載の発明は、請求項１記載の空気調和機の室外機において、前記閉鎖弁固定具は、前記底板の前面と平行に掛け渡され、前記閉鎖弁固定具の下方および前方に空間を形成したことを特徴とする構成となっている。
【００１６】
請求項３記載の発明は、請求項２記載の空気調和機の室外機において、前記閉鎖弁固定具は、前記後方にずらせた支柱のフランジと、前記ボックスの側板に備えたフランジとの間に、前記閉鎖弁固定具の左右端部において締結部材により固定したことを特徴とする構成となっている。
【発明の効果】
【００１７】
請求項１および請求項２記載の本発明によれば、前記底板上の前面両側部に立設される支柱のうちの一方を後方にずらせ、後方にずらせた支柱と前記ボックスの側板との間に、閉鎖弁を固定する閉鎖弁固定具を設けた。これにより、後方にずらせた支柱とボックスの側板とが閉鎖弁固定構造の一部を兼ねるようになっているので、専用部材や特別な係合手段を不要とすることができる。また、後方にずらせた支柱に閉鎖弁固定具を固定したので、ビルに設置される大型の室外機として、同支柱の強度を補強し、筐体自体の強度が低下する可能性を解消しつつ、閉鎖弁に接続される冷媒配管や電装品箱などのメンテナンスを容易に行なうことができる。
【００１８】
そして、請求項２記載の本発明によれば、前記閉鎖弁固定具は、前記底板の前面と平行に掛け渡され、前記閉鎖弁固定具の下方および前方に空間を形成した。これにより、筐体の前面側からの、閉鎖弁に接続される冷媒配管などの接続作業や、閉鎖弁などのメンテナンスなどの現地での作業性を向上することができる。
【００１９】
更に、請求項３記載の本発明によれば、前記後方にずらせた支柱のフランジと、前記ボックスの側板に備えたフランジとの間に、前記閉鎖弁固定具の左右端部において締結部材により固定した。これにより、閉鎖弁に接続される冷媒配管などの接続作業や、閉鎖弁などのメンテナンスなどの作業の際に、閉鎖弁固定具を筐体の前面側から取外し易くすることができる。
【発明を実施するための最良の形態】
【００２０】
以下、本発明の実施の形態を添付図面に基づき詳細に説明する。図１は本発明による空気調和機の室外機を示す外観図、図２は本発明による空気調和機の室外機の筐体の一部を取り除いた状態を示す斜視図、図３は本発明による空気調和機の室外機の一部を取り除いた状態を示す斜視図、図４は本発明による空気調和機の室外機の内部を示す平面図、図５は本発明による閉鎖弁固定具の周囲を示す正面図、図６は本発明による閉鎖弁固定具の周囲の一部を取り除いた状態を示す第１の斜視図、図７は本発明による閉鎖弁固定具の周囲の一部を取り除いた状態を示す第２の斜視図である。
【００２１】
本発明による空気調和機の室外機は、底板上の前面両側部に立設される支柱のうちの一方を後方にずらせるとともに、底板上の前面側右寄りに圧縮機室を形成するボックスを配置して、後方にずらせた支柱とボックスの側板との間に、閉鎖弁固定具を固定したことを特徴とする。以下、本発明による空気調和機の室外機の実施の形態について説明する。
【００２２】
図１乃至図４を用いて、本発明による空気調和機の室外機の基本的な構造を説明する。図１乃至図４に示すように、本発明による空気調和機の室外機１は、ビルの屋上に据付けられ、複数の室内機に冷媒配管を介して接続されるビル用マルチタイプの空気調和システムに用いられるものである。室外機１は、側面から空気を吸い込んで熱交換した後に天面から空気を吹き出すタイプであり、筐体２と、筐体２の内部に収納された室外側冷媒回路３とを備えている。
【００２３】
筐体２は、略直方体形状であり、主に、４つの角部にそれぞれ配置された支柱４ａ〜４ｄと、天板５と、正面板６と、右側面板７と、左側面板８と、背面板９と、底板１０とを備えている。支柱４ａ〜４ｄは、筐体２の角部または角部付近の上端から下端まで鉛直に延びる部材であり、天板５、正面板６、右側面板７、左側面板８、背面板９および底板１０に固定され、互いに支持されている。また、支柱４ａと支柱４ｂとの間には、補助支柱４ｅが掛け渡され、この補助支柱４ｅは、支柱４ａおよび支柱４ｂの鉛直方向のほぼ中央部分で水平に延びている。
【００２４】
天板５は、中央に形成された開口を覆うように筒状のベルマウス１１が設けられている。ベルマウス１１の上部の開口１１ａには、空気を吹出すための吹出口を有し、その開口１１ａにファングリル１２が装着されている。また、ベルマウス１１の内部には図示を省略した送風ファンが配置され、この送風ファンは図示を省略したファンモータにより回転駆動されるようになっている。そして、ファンモータは、正面板６および背面板９に固定されたモータ支持台１３に据付けられている。これにより、筐体２内に吸い込まれた空気は、ベルマウス１１の開口１１ａから上方に向かって吹出されるようになっている。
【００２５】
正面板６は、天板５の下側に配置される上部正面板６ａと、上部正面板６ａの下側に配置される中央正面板６ｂと、中央正面板６ｂの下側に配置される下部正面板６ｃとからなっている。このように、正面板６は、上中下３分割の構造になっている。
【００２６】
右側面板７の下側には、右側面のほぼ全体に開口１４が形成され、筐体２内に空気を吸い込むための吸込口を有している。この開口１４に右側グリル１５が装着されている。左側面板８の下側には、左側面のうち、正面板６および支柱４ａを除く面に開口１６が形成され、筐体２内に空気を吸い込むための吸込口を有している。この開口１６に図示を省略した左側グリルが装着される。背面板９の下側には、背面のほぼ全体に開口１８が形成され、筐体２内に空気を吸い込むための吸込口を有している。この開口１８に図示を省略した背面グリルが装着されている。また、支柱４ｂには、複数の開口１９が形成されており、筐体２内に空気を吸い込むための吸込口としての機能も有している。これらの開口１４、開口１６、開口１８および開口１９によって、筐体内に空気が吸い込まれるようになっている。
【００２７】
底板１０は、図４に示すように、室外側冷媒回路３を構成する機器および部材を支持している。また、底板１０の下面には、図１に示すように、筐体２を設置場所に固定するための基礎脚２０が正面板６側と背面板９側に固定されている。
【００２８】
さらに、室外側冷媒回路３は、図３および図４に示すように、圧縮機３ａ、アキュムレータ３ｂ、熱交換器３ｃ、ガス側閉鎖弁３ｄ、液側閉鎖弁３ｅなどの機器およびこれらの機器を接続する配管類からなっている。圧縮機３ａ、熱交換器３ｃは、底板１０上に固定され、その他のガス側閉鎖弁３ｄ、液側閉鎖弁３ｅや配管類は、底板１０の上部、すなわち、筐体２の下部に配置している。
【００２９】
圧縮機３ａ、アキュムレータ３ｂは、底板１０の上部の正面板６側に配置され、圧縮機３ａ、アキュムレータ３ｂの周囲を底板１０およびボックス２１で取囲んで圧縮機室を形成している。熱交換器３ｃは、略Ｕ字形状であり、開口１４、開口１６、開口１８および開口１９に対向するように配置されている。熱交換器３ｃは、開口１４、開口１６、開口１８および開口１９から吸い込まれた空気と冷媒とを熱交換させることが可能である。なお、図示を省略した送風ファンは、開口１４、開口１６、開口１８および開口１９を通じて、室外の空気を筐体２の側面から筐体２の内部に吸い込んで、熱交換器３ｃを通過させた後、筐体２の上部に導いてベルマウス１１の開口１１ａから吹き出すことが可能である。
【００３０】
次に、図５乃至図７を用いて、本発明の特徴であるガス側閉鎖弁３ｄ、液側閉鎖弁３ｅを筐体２の下部に配置、固定するための構造を説明する。圧縮機室を形成しているボックス２１は、底板１０上の前面側中央より右寄りに位置しており、背面側ボックス２２と正面側ボックス２３からなっている。背面側ボックス２２および正面側ボックス２３は分割可能になっており、互いにネジなどによって固定されて組立てられている。これにより、図６に示すように、正面側ボックス２３を取外して、図５に示すように、筐体２の正面側から圧縮機３ａやアキュムレータ３ｂのメンテナンスなどの作業を行うことが可能である。また、背面側ボックス２２を形成している左側板２２ａの前端には、左側に折れ曲がったフランジ２２ｂを有している。
【００３１】
底板１０上の前面左側部に立設された支柱４ａは、底板１０上の前面側から側面後方にずらせた位置にある。支柱４ａの前端には、右側に折れ曲がったフランジ４ｆを有している。この支柱４ａのフランジ４ｆは、底板１０上の前面側からみて、背面側ボックス２２のフランジ２２ｂとほぼ同じ位置に配置されている。
【００３２】
底板１０の前面側からみて、中央より左側には、ガス側閉鎖弁３ｄと液側閉鎖弁３ｅとを互いに並べて固定するための閉鎖弁固定具２４を備えている。閉鎖弁固定具２４は、底板１０の前面と平行に、かつ、水平に、底板１０上から一定の高さの位置で掛け渡すように、支柱４ａのフランジ４ｆと、背面側ボックス２２のフランジ２２ｂとの間に、閉鎖弁固定具２４の左右端部においてネジなどの締結部材により固定されている。これにより、閉鎖弁固定具２４の下方および前方に空間を形成することが可能である。また、支柱４ａと、背面側ボックス２２とを閉鎖弁を固定するための部材として兼用しているので、室外機１の機種ごとに、閉鎖弁固定具２４のみ設計を変えて機種の違いに対応することが可能である。なお、ボックス２１や閉鎖弁固定具２４の上部、すなわち、筐体２内の正面側の上部には、図示を省略した電装品箱が配置されている。
【００３３】
そして、閉鎖鎖弁固定具２４は、細長い１枚の金属板であり、金属板の左右方向である上端に沿って半円形状の切り込み部を有し、ガス側閉鎖弁３ｄと液側閉鎖弁３ｅとが切り込み部に挿入されて固定されている。さらに、図４および図６に示すように、閉鎖弁固定具２４は、金属板の断面がＬ字状となっており、閉鎖弁固定具２４の右端部から左端部寄りで９０度に折れ曲げられ、かつ、金属板の左右方向に延びる複数の凹部が形成されている。これにより、閉鎖弁固定具２４自体の強度を向上することが可能である。なお、閉鎖弁固定具２４に固定されるガス側閉鎖弁３ｄと液側閉鎖弁３ｅのそれぞれに配管接続口を有し、冷媒配管が接続されるようになっている。
【００３４】
以上説明してきた実施の形態による本発明の空気調和機の室外機によれば、底板１０上の前面左側部に立設された支柱４ａは、底板１０上の前面側から側面後方にずらせた位置にあって、支柱４ａと背面側ボックス２２の左側板２２ａとの間に、閉鎖弁固定具２４を掛け渡すように固定したので、支柱４ａと背面側ボックス２２の左側板２２ａとが閉鎖弁固定構造の一部を兼ねるようにすることができる。したがって、背景技術の欄で説明した特許文献１のような専用部材や特別な係合手段を不要とすることができる。また、支柱４ａを底板１０の前面側からみて、側面後方にずらした位置に立設したので、図示を省略した電装品箱を筐体の前面または左側面から引出して、電装品箱のメンテナンスを容易に行なうことができる。更に、支柱４ａと背面側ボックス２の左側板２２ａとの間に、閉鎖弁固定具２４を掛け渡すように固定したので、ビルに設置される大型の室外機の筐体を構成する支柱４ａの強度を補強し、支柱４ａが底板１０上の角部に立設していないことによる筐体２自体の強度が低下する可能性を解消することができる。
【００３５】
そして、本発明の空気調和機の室外機によれば、閉鎖弁固定具２４は、底板１０の前面と平行に、かつ、水平に掛け渡され、閉鎖弁固定具２４の下方および前方に空間を形成したので、筐体２の前面側から、ガス閉鎖弁３ｄ、液側閉鎖弁３ｅに接続される冷媒配管などの接続作業や、ガス閉鎖弁３ｄ、液側閉鎖弁３ｅなどのメンテナンスなど、現地での作業性を向上することができる。また、閉鎖弁固定具２４の下方に空間を形成したので、閉鎖弁固定具２４の背面側に室外側冷媒回路３を構成する部材などを作業中に誤って落下させてしまった場合、落下させてしまった部材を探し易くすることができる。更に、閉鎖弁固定具２４に隣接している正面側ボックス２３を取外した状態にすると、閉鎖弁固定具２４の前方の空間が増すので、圧縮機３ａや配線などの交換も含め、接続作業やメンテナンスなど、より作業性を向上することができる。
【００３６】
更に、本発明の空気調和機の室外機によれば、底板１０上の前面側から側面後方にずらせた位置に立設された支柱４ａのフランジ４ｆと、背面側ボックス２２の左側板２２ａのフランジ２２ｂとの間に、閉鎖弁固定具２４の左右端部においてネジなどの締結部材により固定したので、ガス閉鎖弁３ｄ、液側閉鎖弁３ｅに接続される冷媒配管などの接続作業や、ガス閉鎖弁３ｄ、液側閉鎖弁３ｅなどのメンテナンスなどの作業の際に、閉鎖弁固定具２４を筐体２の前面側から取外し易くすることができる。また、背面側ボックス２２の左側板２２ａのフランジ２２ｂに閉鎖弁固定具２４を固定したので、正面側ボックス２３を取外し、冷媒配管や配線を接続したままの状態で、圧縮機３ａの試験やメンテナンスを行なうことができる。
【００３７】
これまで説明してきた実施の形態においては、支柱４ａと背面側ボックス２２の左側板２２ａとの間に、閉鎖弁固定具２４を掛け渡すように固定したが、本発明はこれに限らず、室外側冷媒回路３を構成する機器および部材のレイアウトなど、室外機１の構造を変更することにより、底板１０上の前面両側部に立設される支柱のうちの一方を後方にずらせ、この後方にずらせた支柱とボックス２１の側板との間に閉鎖弁固定具２４を掛け渡すように固定するようになっていればよい。
【図面の簡単な説明】
【００３８】
【図１】本発明による空気調和機の室外機を示す外観図である。
【図２】本発明による空気調和機の室外機の筐体の一部を取り除いた状態を示す斜視図である。
【図３】本発明による空気調和機の室外機の一部を取り除いた状態を示す斜視図である。
【図４】本発明による空気調和機の室外機の内部を示す平面図である。
【図５】本発明による閉鎖弁固定具の周囲を示す正面図である。
【図６】本発明による閉鎖弁固定具の周囲の一部を取り除いた状態を示す第１の斜視図である。
【図７】本発明による閉鎖弁固定具の周囲の一部を取り除いた状態を示す第２の斜視図である。
【図８】従来による空気調和機の室外機の一部を取り除いた状態を示す斜視図である。
【図９】従来による空気調和機の室外機の内部を示す平面図である。
【図１０】従来による空気調和機の室外機の閉鎖弁固定具の周囲を示す斜視図である。
【図１１】従来によるその他の空気調和機の室外機を示す平面図である。
【図１２】従来によるその他の空気調和機の室外機を示す正面図である。
【符号の説明】
【００３９】
１  室外機
２  筐体
３  室外側冷媒回路
３ａ  圧縮機
３ｂ  アキュムレータ
３ｃ  熱交換器
３ｄ  ガス側閉鎖弁
３ｅ  液側閉鎖弁
４ａ  支柱
４ｂ  支柱
４ｃ  支柱
４ｄ  支柱
４ｅ  補助支柱
４ｆ  フランジ
５  天板
６  正面板
６ａ  上部正面板
６ｂ  中央正面板
６ｃ  下部正面板
７  右側面板
８  左側面板
９  背面板
１０  底板
１１  ベルマウス
１１ａ  開口
１２  ファングリル
１３  モータ支持台
１４  開口
１５  右側グリル
１６  開口
１８  開口
１９  開口
２０  基礎脚
２１  ボックス
２２  背面側ボックス
２２ａ  左側板
２２ｂ  フランジ
２３  正面側ボックス
２４  閉鎖弁固定具
【図１】
2009109047.tif 000003
【図２】
2009109047.tif 000004
【図３】
2009109047.tif 000005
【図４】
2009109047.tif 000006
【図５】
2009109047.tif 000007
【図６】
2009109047.tif 000008
【図７】
2009109047.tif 000009
【図８】
2009109047.tif 000010
【図９】
2009109047.tif 000011
【図１０】
2009109047.tif 000012
【図１１】
2009109047.tif 000013
【図１２】
2009109047.tif 000014